(57)【特許請求の範囲】
【請求項１】
石油オフサイトなどのプラントで石油などの物資を所定設備まで輸送するための配管構成を管理するとともに、物資の送り元となる設備から物資の送り先となる設備までを結ぶ各配管経路の構成を示すラインアップ情報を用いて所望の配管経路を選択表示するプラント管理装置において、
配管の分岐点を示すジョイントパーツと設備との間、設備相互間およびジョイントパーツ相互間を結ぶそれぞれの配管ごとにその配管の両端に接続されている設備およびジョイントパーツを示すコネクション情報を用いてラインアップ情報を作成するラインアップ情報作成手段と、
設備、ジョイントパーツおよび配管を示す各パーツごとに設けられ、かつ各パーツの属性を示すとともに各パーツ間の論理的接続情報を含む複数のオブジェクトからなるオブジェクト情報と、所望の配管経路を示すコネクション情報とを用いて、その配管経路を選択表示するラインアップ表示手段とを備え、
ラインアップ表示手段は、オブジェクト情報から配管を示すパーツのオブジェクトを選択して、そのオブジェクトの論理的接続情報に基づきその配管の両端に接続されている各パーツを参照し、これらパーツが所望の配管経路を構成するパーツであるか否かを所望の配管経路のラインアップ情報を用いて判断し、配管の両端に接続されている各パーツが所望の配管経路を構成するパーツである場合は、その配管が所望の配管経路を構成する配管であると判断してその配管を選択表示する
ことを特徴とするプラント管理装置。
【請求項２】
請求項１記載のプラント管理装置において、
各オブジェクトは、論理的接続情報として、対応するパーツに接続されている他のパーツのオブジェクトが格納されている位置情報を有することを特徴とするプラント管理装置。
【発明の詳細な説明】
【０００１】
【発明の属する技術分野】
本発明は、プラント管理装置に関し、特に石油オフサイトなどのプラントで石油などの物資を所定の地点まで輸送するための配管を管理するプラント管理装置に関するものである。
【０００２】
【従来の技術】
一般に、石油オフサイトなどのプラントでは、タンクに備蓄されている石油などの物資を、タンカーなど所定の地点まで輸送するため、多数の配管がネットワーク状に配置されている。
したがって、物資の送り元すなわちＦＲＯＭ設備から物資の送り先すなわちＴＯ設備までを結ぶ配管経路を、効率よく選択する必要がある。
【０００３】
従来、このようなプラントの配管を管理する管理装置では、予め入力されている各設備間の接続形態やそのコネクション情報に基づき、所定の配管経路を自動的に選択するオートラインアップ機能が用いられている。
この場合、画面上で各設備や配管に対応する画像イメージをパーツとして任意に配置して、各設備間の接続形態を示すパス画面を生成しておく。
また、これら接続形態を示す実際のデータ、すなわちどの配管がどの設備間を接続しているかを示すコネクション情報については、パス画面とは別個に操作入力するものとなっていた。
【０００４】
図１０は従来のコネクション情報例を示す説明図であり、（ａ）は接続形態例、（ｂ）はそのコネクション情報、（ｃ）はラインアップ情報である。
ここでは、各設備を接続する配管の配管ＩＤごとに、その配管の両端に接続されている設備名が、接続の一方および接続の他方として操作入力される。
例えば、配管ＩＤのＩＤ１には、タンクＴＡＮＫ１とバルブＶＡＬＶＥ２とが接続されていることを示している。
【０００５】
また、配管が分岐している場合は、分岐先の設備に対してそれぞれコネクション情報が操作入力される。
例えば、バルブＶＡＬＶＥ３は、配管ＩＤ１に分岐接続されており、この場合はタンクＴＡＮＫ１からバルブＶＡＬＶＥ３への配管ＩＤ２を規定し、その配管ＩＤ２の両端にタンクＴＡＮＫ１とバルブＶＡＬＶＥ３とが接続されているものとしてコネクション情報が作成される。
【０００６】
その後、このコネクション情報から、所定のＦＲＯＭ設備からＴＯ設備までの配管経路の構成を示すラインアップ情報が、各配管経路ごとに作成される。
このラインアップ情報は、配管経路上に位置する各設備名、配管名、オープンバルブ名、クローズバルブ名などから構成される。
例えば、タンクＴＡＮＫ１からバースＪ２まで配管経路を示すラインアップ情報は、図１０（ｃ）のようになる。
【０００７】
そして、このラインアップ情報に基づき所望の配管経路を構成する各設備および各配管などの各パーツを、コネクション情報や配管構成全体の接続形態を示す構成情報から検索し、該当するパーツを色替えや太線表示などを用いて選択表示するものとなっていた。
【０００８】
【発明が解決しようとする課題】
しかしながら、このような従来のプラント管理装置では、配管の分岐点を示す情報がコネクション情報に含まれておらず、所望の配管経路を強調して選択表示するラインアップ表示を正確に行うことができず良好な視認性が得られず、その表示のための処理も複雑化して所要時間も長くなり操作性が悪いという問題点があった。
【０００９】
図１１は従来の配管経路の選択表示例を示す説明図である。
例えば、図１０（ａ）に示すように、タンクＴＡＮＫ１とバルブＶＡＬＶＥ２とを結ぶとき、従来では、まずＴＡＮＫ１とバルブＶＡＬＶＥ１とを結ぶ配管ＰＩＰＥ１を配置し、その後にＰＩＰＥ１の中間からＶＡＬＶ２への配管ＰＩＰＥ２を配置する場合が考えられる。
【００１０】
ここで、図１０（ｃ）に示したラインアップ情報に基づきＴＡＮＫ１とバースＪ２とを結ぶ配管経路を選択表示する場合、パス画面上では、ＴＡＮＫ１とＶＡＬＶＥ２とを接続する２つのパーツすなわちＰＩＰＥ１およびＰＩＰＥ２を選択表示する必要がある。
したがって、配管パーツと配管経路との不一致が生じ、図１１（ａ）に示すように、ＴＡＮＫ１からＶＡＬＶ３へ向かうＰＩＰＥ１が選択表示される。
【００１１】
このため、図１１（ｂ）に示すような本来所望する配管経路だけを正確に選択表示できず、他の配管部分についても表示されてしまい、良好な視認性が得られないという問題点があった。
また、コネクション情報のうちＴＡＮＫ１とＶＡＬＶＥ３とを結ぶＩＤ２が、描画上、ＰＩＰＥ１とＰＩＰＥ２の２つのパーツから構成されているというコネクション補完情報も持つ必要がある。
【００１２】
さらには、ラインアップ表示要求に応じて、所望の配管経路を構成する各設備および各配管などの各パーツを、ラインナップ情報、コネクション情報や配管構成全体の接続形態を示す構成情報、さらにはコネクション補完情報を逐次検索して、得られたパーツを選択表示するものとなっているため、表示のための処理が複雑化して所要時間も長くなり操作性が悪いという問題点があった。
本発明はこのような課題を解決するためのものであり、良好な視認性が得られ、また操作性のよいプラント管理装置を提供することを目的としている。
【００１３】
【課題を解決するための手段】
このような目的を達成するために、本発明によるプラント管理装置は、ラインアップ情報作成手段において、配管の分岐点を示すジョイントパーツと設備との間、設備相互間およびジョイントパーツ相互間を結ぶそれぞれの配管ごとにその配管の両端に接続されている設備およびジョイントパーツを示すコネクション情報を用いてラインアップ情報を作成し、ラインアップ表示手段において、設備、ジョイントパーツおよび配管を示す各パーツごとに設けられ、かつ各パーツの属性を示すとともに各パーツ間の論理的接続情報を含む複数のオブジェクトからなるオブジェクト情報と、所望の配管経路を示すコネクション情報とを用いて、その配管経路を選択表示するようにしたものである。
そして、ラインアップ表示手段では、オブジェクト情報から配管を示すパーツのオブジェクトを選択して、そのオブジェクトの論理的接続情報に基づきその配管の両端に接続されている各パーツを参照し、これらパーツが所望の配管経路を構成するパーツであるか否かを所望の配管経路のラインアップ情報を用いて判断し、配管の両端に接続されている各パーツが所望の配管経路を構成するパーツである場合は、その配管が所望の配管経路を構成する配管であると判断してその配管を選択表示するようにしたものである。
【００１６】
また、各オブジェクトの論理的接続情報として、対応するパーツに接続されている他のパーツのオブジェクトが格納されている位置情報を用いるようにしたものである。
【００１７】
【発明の実施の形態】
次に、本発明について図面を参照して説明する。
図１は本発明の一実施の形態であるプラント管理装置のブロック図である。
同図において、１はデータ入力部１Ａからの指示に基づきプラントで用いられる各種設備や配管の接続形態を設定し、その接続形態に基づき所定の設備間を結ぶ配管経路を示すラインアップ情報を生成するコンフィギュレーション装置、２はデータ入力部１Ｂからの指示に基づきコンフィギュレーション装置１で生成されたラインアップ情報を用いて実際にプラントを管理するオペレータ端末、３はＬＡＮ４を介して接続されたオペレータ端末２からの指示に基づきプラント内の各種設備を制御する制御コントローラである。
【００１８】
コンフィギュレーション装置１において、１１はプラントで用いられる各種設備、配管、あるいは配管の分岐点を示すジョイントパーツに対応する画像イメージをパーツとして画面上に配置することにより各設備間の接続関係を画面上で編集し、各パーツ間の論理的接続情報を含むオブジェクト情報１２を作成するパス画面編集部である。
１４はこのオブジェクト情報１２から各配管ごとに配管とその両端に接続されている設備の対応関係を示すコネクション情報１５を作成するコネクション情報作成部である。
【００１９】
また、１６はこのコネクション情報１５に基づき所定の設備間を結ぶ配管経路を抽出し、その配管経路を示すラインアップ情報１７を作成するラインアップ情報作成部、１８はラインアップ情報１７に基づき任意の配管経路をデータ表示部１Ｂの画面に強調表示するラインアップ表示部である。
オペレータ端末２において、２１はラインアップ情報１７と等しいラインアップ情報２２や、オブジェクト情報１２と等しいオブジェクト情報２３に基づき任意の配管経路をデータ表示部２Ｂの画面に強調表示するラインアップ表示部である。
【００２０】
次に、図２を参照して、本発明の動作について説明する。
図２はコンフィギュレーション装置での概略処理を示すフローチャートであり、特にコネクション情報の作成までの処理手順が示されている。
パス画面編集部１１では、データ入力部１Ａからの指示に基づき、プラント内の所定設備範囲で用いる各種設備や配管の接続形態が、所定の編集ツールを用いて編集される。
【００２１】
図３はパス画面編集部の画面出力例を示す説明図である。
ツールボックス１１Ｂから任意の設備や配管を示す画像イメージすなわちパーツがマウスにより選択され、画面中央のシート画面１１Ａ上に配置される。
ツールボックス１１Ｂには、各種設備に対応するパーツが用意されており、特に、配管を示す配管パーツ１１Ｃの他に、配管の分岐点を示すジョイントパーツ１１Ｄが用意されている。
【００２２】
このようなパーツの配置に応じて、そのパーツに関する各種属性を示す情報管理単位すなわちオブジェクトが生成される（ステップ３１）。
タンク、ポンプ、バルブあるいは流量計などの各設備パーツには、配管を示す配管パーツとの接続点すなわちポートが設けられている。
ここで、設備パーツまたは配管パーツを配置しあるいは移動させた時点で、設備パーツのポートと配管パーツの端点とがシート画面１１Ａ上で同じ位置に存在する場合は、その設備パーツと配管パーツが論理的に接続されたと判断される。
【００２３】
そして、その設備パーツと配管パーツのオブジェクトに、両者の論理的な接続関係が論理的接続情報として格納され、オブジェクトが更新される（ステップ３２）。
また、ジョイントパーツが配管上に配置された場合は、その配管が分割されてそれぞれのオブジェクトが生成されるとともに、ジョイントパーツ自体のオブジェクトも生成され、これら配管パーツおよびジョイントパーツに、互いの論理的な接続関係が論理的接続情報として格納される。
【００２４】
このようにして、各種パーツをシート画面上に配置することにより各パーツのオブジェクトが繰り返し生成更新され、各種設備や配管の接続形態が、これらオブジェクトからなるオブジェクト情報１２として出力される。
【００２５】
そして、編集終了に応じて（ステップ３３：ＹＥＳ）、オブジェクト情報１２に基づき各パーツ間の接続状況がチェックされ（ステップ３４）、その接続状況に誤りがあった場合は（ステップ３５：ＮＯ）、ステップ３１に戻って誤りを修正編集する。
また、誤りがなく正常であった場合（ステップ３５：ＹＥＳ）、コネクション情報作成部１４において、オブジェクト情報１２に基づくコネクション情報１５の自動生成が行われる（ステップ３６）。
【００２６】
続いて、ラインアップ情報作成部１６では、コネクション情報１５に基づき、各配管経路ごとに、その構成を示すラインアップ情報１７が作成される（ステップ３７）。
そして、データ入力部１Ａからの指示に応じて所望の配管経路を選択表示する場合は、ラインアップ表示部１８において、対応するラインアップ情報１７とオブジェクト情報１２に基づき、所望の配管経路を構成するパーツが、色替えや太線表示などを用いてデータ表示部１Ｂのパス画面上に選択表示される。
【００２７】
次に、図４を参照して、ジョイントパーツについて説明する。
図４は配管の接続形態の一例を示す説明図である。
各設備を示すタンクＴＡＮＫ１やバルブＶＡＬＶＥ２などのパーツは、配管を示すパーツにより接続される。
配管の分岐点には、ジョイントパーツＪＰ１，ＪＰ２が他の設備パーツと同様に配置される。
【００２８】
したがって、オブジェクト情報１２では、タンクＴＡＮＫ１とバルブＶＡＬＶＥ２とは、ジョイントパーツＪＰ１を介して接続された２つの配管ＩＤ１，ＩＤ２により接続されていると設定される。
また、ＴＡＮＫ１とＶＡＬＶＥ３は、ジョイントパーツＪＰ１を介して接続された２つの配管ＩＤ１，ＩＤ３により接続されていると設定される。
【００２９】
このことから、従来のように、配管パーツと配管経路との不一致が生じることがなくなり、本来所望する配管経路だけを正確に選択表示でき、良好な視認性を得ることができる。
また、配管パーツと配管経路との不一致を補うためのコネクション補完情報も持つ必要もなく、ラインアップ表示処理の簡略化が期待される。
【００３０】
次に、図５を参照して、オブジェクト情報１２について説明する。
図５はオブジェクト情報の構成例を示す説明図であり、（ａ）はパーツリスト、（ｂ）はオブジェクト群を示している。
オブジェクト情報１２は、その接続形態を構成する各パーツのパーツリスト１３と、これらパーツのオブジェクト群すなわちオブジェクト１２Ａ〜１２Ｃとから構成されている。
【００３１】
パーツリスト１３は、図５（ａ）に示すように、オブジェクト情報１２内における各パーツのオブジェクト１２Ａ〜１２Ｃの格納位置すなわちポインタアドレスのリストである。
パーツリスト１３には、図５（ｂ）に示すオブジェクト群に含まれる各オブジェクトのポインタａ，ｂ，ｃ…が格納されている。
【００３２】
ここでは、ジョイントパーツＪＰ１のオブジェクト１２Ａのポインタｃ、配管ＩＤ２のオブジェクト１２Ｂのポインタｄ、およびバルブＶＡＬＶＥ１のオブジェクト１２Ｃのポインタｅなどが格納されている。
これにより、接続形態を構成する各パーツのオブジェクトを、オブジェクト情報１２内において容易に参照できる。
【００３３】
各オブジェクト１２Ａ〜１２Ｃは、図５（ｂ）に示すように、階層的にそれぞれの属性情報や論理的接続情報から構成されている。
例えば、配管ＩＤ２のオブジェクト１２Ｂには、そのパーツ全体の属性を示す情報として、設備の名称「ＶＡＬＶＥ１」や設備の種別を示す区分「配管」、さらにはパス画面上での表示位置などを示す描画情報（図示せず）が格納されている。
【００３４】
特に、ポンプや流量計など、物資の流れる方向が特定されるものについては、その流れ方向を示す流路という属性情報が格納されている。
なお、各パーツのオブジェクトの構成やそのオブジェクトを構成する各オブジェクトの構成については、パーツの種類やオブジェクトの種類に応じて予め雛形が用意されており、オブジェクト情報を作成する際、実際の設備（パーツ）やオブジェクトに応じて、それら固有の属性情報が格納される。
【００３５】
また、隣接するパーツとの論理的接続情報として、各パーツオブジェクトのポインタアドレスを示す接続パーツポインタが格納されている。
ここでは、接続パーツポインタ（１）としてジョイントパーツＪＰ１のポインタ「ｃ」が格納され、接続パーツポインタ（２）としてバルブＶＡＬＶＥ２のポインタ「ｅ」が格納されており、図４に示した接続形態が、論理的接続情報として各オブジェクトに格納されている。
【００３６】
したがって、各パーツを示すオブジェクトに格納されている接続パーツポインタを参照して、各パーツに接続されている他のパーツを短時間で容易に検索できる。
また、接続されたパーツを順に検索してくことにより、所望の配管経路を構成するすべてのパーツを取得し、その配管経路の構成を示すラインアップ情報を作成することができる。
なお、これら検索を容易とするため、各配管をキーとして論理的接続情報を抽出したコネクション情報１５が作成される。
【００３７】
図６はコネクション情報の構成例を示す説明図である。
コネクション情報１５には、各配管を示すパーツごとに、その配管パーツの両端に接続された設備またはジョイントパーツが対応付けて格納されている。
このコネクション情報１５を参照することにより、例えば、配管ＩＤ２には、図４に示すように、その接続の一方にジョイントパーツＪＰ１が接続されており、接続の他方にバルブＶＡＬＶＥ２が接続されていることがわかる。
【００３８】
コネクション情報作成部１４では、図５に示したようなオブジェクト情報１２から、配管パーツのオブジェクトを抽出し、そのオブジェクトに格納されている各接続パーツポインタを参照することにより、図６に示すような、コネクション情報１５を作成する。
そして、ラインアップ情報作成部１６では、コネクション情報作成部１４で作成されたコネクション情報１５に基づき、所定のＦＲＯＭ設備からＴＯ設備までを結ぶすべての配管経路を抽出し、抽出した各配管経路ごとにその配管経路の構成を示すラインアップ情報１７を作成する。
【００３９】
本発明では、従来のラインアップ情報の構成（図１０参照）に加えて、その配管経路を構成する設備の一部として、ジョイントパーツが格納されている。
また、その経路上に位置し経路使用時には開状態にすべきオープンバルブ名、その経路に接続され経路使用時には閉状態にすべきクローズバルブ名、最新使用年月日、使用回数、ライン作成状況などの情報も格納されている。
【００４０】
以下、図８を参照して、ラインアップ情報作成部１６におけるラインアップ情報の作成処理について説明する。
図８はラインアップ情報作成処理を示すフローチャートであり、（ａ）はメイン処理、（ｂ）はＴＯ設備名検索処理を示している。
まず、図８（ａ）のメイン処理では、所望の配管経路のＦＲＯＭ設備名およびＴＯ設備名が入力され（ステップ３０）、そのＦＲＯＭ設備名が変数Ａに代入されて（ステップ３１）、ＴＯ設備名までの経路を検索するＴＯ設備検索処理が呼び出される（ステップ３２）。
【００４１】
図８（ｂ）のＴＯ装置検索処理では、まず、コネクション情報１５の「接続の一方」から変数Ａと一致する設備名が検索され（ステップ４０）、ｎ個の検索結果が配列変数ａ（１）〜ａ（ｎ）に格納される（ステップ４１）。
次に、変数Ａと一致する設備名の検索に成功した場合すなわちｎ＞０の場合は（ステップ４２：ＹＥＳ）、ｉに１を代入して最初の検索結果データａ（ｉ）を選択する（ステップ４３）。
【００４２】
そして、ｉとｎを比較して最後の検索結果データまで処理が終わっていない場合すなわちｉ≦ｎの場合は（ステップ４４：ＹＥＳ）、選択した検索結果データａ（ｉ）を変数Ａに代入し（ステップ４５）、変数Ａの設備とＴＯ設備とが一致するかどうか判断する（ステップ４６）。
そして、両者が一致した場合（ステップ４６：ＹＥＳ）は、ＦＲＯＭ設備からＴＯ設備までの配管経路が見つかったと判断して、その配管経路の構成を示すラインアップ情報１７を作成する（ステップ４７）。
【００４３】
ここでは、ＴＯ設備が見つかった時点において、検索課程のうち各設備またはジョイントパーツ配置点でＴＯ設備検索処理が呼び出されたときの変数Ａすなわちパーツ名と、選択した配列変数ａ（ｉ）に対応する接続ＩＤすなわち配管名とから、ラインアップ情報を構成する各属性情報が生成される。
そして、一連のＴＯ設備検索処理を終了して呼び出し元へ戻り、他のルートを通る配管経路の検索を継続する。
【００４４】
一方、ステップ４６において、両者が不一致の場合は（ステップ４６：ＮＯ）、ＴＯ設備検索処理を再帰呼び出しすることにより、変数Ａの先経路に接続されている各設備についてＴＯ設備の検索を行う（ステップ４８）。
その後、ｉにｉ＋１を代入して次の検索結果データａ（ｉ）を選択して（ステップ４９）、ステップ４４へ戻り、前述の検索処理を繰り返し実行する。
【００４５】
また、ステップ４４において、ｉとｎを比較して最後の検索結果データまで処理が終わった場合すなわちｉ＞ｎの場合は（ステップ４４：ＹＥＳ）、ＴＯ設備検索処理を終了して呼び出し元へ戻る。
そして、図８（ａ）のメイン処理まで戻った時点で、一連のラインアップ処理を終了する。
このようにして、ＦＲＯＭ設備からＴＯ設備までを結ぶすべての配管経路が抽出され、各配管経路ごとにラインアップ情報１７が生成される。
【００４６】
その後、ラインアップ表示部１８では、データ入力部１Ａからの指示に応じて、ラインアップ情報１７およびオブジェクト情報１２を参照し、ＦＲＯＭ設備からＴＯ設備までを結ぶ所望の配管経路をデータ表示部１Ｂのパス画面上に選択表示する。
図９はラインアップ情報の表示処理を示すフローチャートである。
【００４７】
まず、データ入力部１Ａからの指示に応じて所望の配管経路が選択され（ステップ５０）、選択された配管経路のラインアップ情報１７からその配管経路を構成するすべての設備およびジョイントパーツを経路構成パーツとして取得し（ステップ５１）、これら各経路構成パーツが経路を構成するパーツであることを示すラインアップ対象フラグをオンに設定するとともに、これら各経路構成パーツをパス画面上で選択表示する（ステップ５２）。
なお、このラインアップ対象フラグは、各パーツのパーツオブジェクトに設けられている（図示せず）。
【００４８】
次に、オブジェクト情報１２のポインタリスト１３から、次のポインタαを選択し（ステップ５３）、次のポインタαが有効な場合は（ステップ５４：ＹＥＳ）、そのポインタαが示すパーツオブジェクトからそのパーツの設備区分ｘを取得する（ステップ５５）。
そして、その設備区分ｘが配管を示さない場合は（ステップ５６：ＮＯ）、ステップ５３に戻って次のポインタを選択する。
【００４９】
一方、その設備区分ｘが配管を示す場合は（ステップ５６：ＹＥＳ）、その配管に接続されている両パーツが経路構成パーツに含まれている場合にのみ、その配管を選択表示する。
まず、ポインタαが示すパーツオブジェクトから両方の接続パーツポインタを取得し（ステップ５７）する。
【００５０】
次に、取得した接続パーツポインタの一方すなわち接続パーツポインタ（１）が示すパーツオブジェクトのラインアップ対象フラグを取得し、そのフラグを判定する（ステップ５８）。
ここで、そのフラグがオンの場合は（ステップ５８：ＹＥＳ）、取得した接続パーツポインタの他方すなわち接続パーツポインタ（２）が示すパーツオブジェクトのラインアップ対象フラグを取得し、そのフラグを判定する（ステップ５９）。
【００５１】
そして、そのフラグがオンの場合は（ステップ５９：ＹＥＳ）、ポインタαが示す配管をパス画面上で選択表示し（ステップ６０）、ステップ５３に戻る。
また、ステップ５８，５９において、配管の両端に接続されている各パーツの少なくともいずれかのラインアップ対象フラグがオンではなく、経路構成パーツに含まれなかった場合は、配管の選択表示を行わずにステップ５３に戻る。
【００５２】
このようにして、パーツリスト１３に含まれる各配管パーツについて選択表示判断処理を行い、すべてのポインタαについての選択表示判断処理を終了した時点で（ステップ５４：ＮＯ）、一連のラインアップ表示処理を終了する。
したがって、配管の分岐点では、図１１（ｂ）に示すように、ジョイントパーツを境として必要な経路だけを選択表示することができ、良好な視認性が得られる。
【００５３】
また、ラインアップ表示部１８では、オブジェクト情報１２に含まれる配管パーツのオブジェクトの論理的接続情報に基づきその配管の両端に接続されている各パーツを選択し、これらパーツが所望の配管経路を構成するパーツである場合に、その配管を選択表示するようにしたので、従来のように、ラインアップ表示要求に応じて各種情報に基づき表示対象経路を逐次検索して選択表示する場合と比較して、表示のための処理が大幅に簡略化され所要時間も短くなり操作性が良くなる。
【００５４】
【発明の効果】
以上説明したように、本発明は、配管の分岐点を示すジョイントパーツと設備との間、設備相互間およびジョイントパーツ相互間を結ぶそれぞれの配管ごとにその配管の両端に接続されている設備およびジョイントパーツを示すコネクション情報を用いてラインアップ情報を作成して、設備、ジョイントパーツおよび配管を示す各パーツごとに設けられ、かつ各パーツの属性を示すとともに各パーツ間の論理的接続情報を含む複数のオブジェクトからなるオブジェクト情報と、所望の配管経路を示すコネクション情報とを用いて、その配管経路を選択表示し、この際、オブジェクト情報から配管を示すパーツのオブジェクトを選択して、そのオブジェクトの論理的接続情報に基づきその配管の両端に接続されている各パーツを参照し、これらパーツが所望の配管経路を構成するパーツであるか否かを所望の配管経路のラインアップ情報を用いて判断し、配管の両端に接続されている各パーツが所望の配管経路を構成するパーツである場合は、その配管が所望の配管経路を構成する配管であると判断してその配管を選択表示するようにしたので、ジョイントパーツを境として必要な経路だけを選択表示することができ、良好な視認性が得られるとともに、従来のように配管パーツと配管経路との不一致を補うためのコネクション補完情報も持つ必要もなく、ラインアップ表示処理の簡略化が期待される。
【図面の簡単な説明】
【図１】  本発明の一実施の形態によるプラント管理装置のブロック図である。
【図２】  コンフィギュレーション装置での概略処理を示すフローチャートである。
【図３】  パス画面編集部の画面出力例を示す説明図である。
【図４】  配管の接続形態の一例を示す説明図である。
【図５】  オブジェクト情報の構成例を示す説明図である。
【図６】  コネクション情報の構成例を示す説明図である。
【図７】  ラインアップ情報の構成例を示す説明図である。
【図８】  ラインアップ情報作成手順を示すフローチャートである。
【図９】  ラインアップ表示手順を示すフローチャートである。
【図１０】  従来のコネクション情報例を示す説明図である。
【図１１】  従来の配管経路の選択表示例を示す説明図である。
【符号の説明】
１…コンフィギュレーション装置、１Ａ…データ入力部、１Ｂ…データ表示部、１１…パス画面編集部、１２…オブジェクト情報、１４…コネクション情報作成部、１５…コネクション情報、１６…ラインアップ情報作成部、１７…ラインアップ情報、１８…ラインアップ表示部。
【図１】
0003650286.tif 000002
【図２】
0003650286.tif 000003
【図３】
0003650286.tif 000004
【図４】
0003650286.tif 000005
【図５】
0003650286.tif 000006
【図６】
0003650286.tif 000007
【図７】
0003650286.tif 000008
【図８】
0003650286.tif 000009
【図９】
0003650286.tif 000010
【図１０】
0003650286.tif 000011
【図１１】
0003650286.tif 000012